(57)【要約】【課題】両面テープを使用することなく確実にフレキシブルプリント基板の位置を仮決め可能な対物レンズアクチュエータ及びそれを備えた光ピックアップを提供すること。【解決手段】対物レンズアクチュエータは、制御回路が組み込まれるプリント基板と、前記プリント基板と接続されるフレキシブルプリント基板と、前記プリント基板が取り付けられると共に、前記フレキシブルプリント基板が差し込まれる溝部を有する保持部と、を備え、前記フレキシブルプリント基板が前記溝部に差し込まれたときに前記フレキシブルプリント基板の少なくとも２箇所以上に、前記溝部に向かう復元力が発生することとする。また、光ピックアップは上記構成の対物レンズアクチュエータを備えることとする。【選択図】図４
2014044783.tif 000002
【特許請求の範囲】
【請求項１】
制御回路が組み込まれるプリント基板と、
前記プリント基板と接続されるフレキシブルプリント基板と、
前記プリント基板が取り付けられると共に、前記フレキシブルプリント基板が差し込まれる溝部を有する保持部と、
を備え、
前記フレキシブルプリント基板が前記溝部に差し込まれたときに前記フレキシブルプリント基板の少なくとも２箇所以上に、前記溝部に向かう復元力が発生することを特徴とする対物レンズアクチュエータ。
【請求項２】
前記フレキシブルプリント基板の１の箇所に発生する復元力の方向と、他の箇所に発生する復元力の方向と、が異なることを特徴とする請求項１に記載の対物レンズアクチュエータ。
【請求項３】
前記溝部は屈曲形成されていることを特徴とする請求項１又は請求項２に記載の対物レンズアクチュエータ。
【請求項４】
、前記保持部において、前記プリント基板の取付面には、前記フレキシブルプリント基板を前記溝部に差し込むための差込口が設けられることを特徴とする請求項１〜請求項３のいずれか１項に記載の対物レンズアクチュエータ。
【請求項５】
前記保持部は突出部を有し、前記フレキシブルプリント基板が前記溝部に差し込まれた状態において、前記プリント基板と前記突出部とが前記フレキシブルプリント基板を上下から挟み込むことを特徴とする請求項１〜請求項４のいずれか１項に記載の対物レンズアクチュエータ。
【請求項６】
前記保持部は樹脂成型品であることを特徴とする請求項１〜請求項５のいずれか１項に記載の対物レンズアクチュエータ。
【請求項７】
前記フレキシブルプリント基板は配線パターンを有し、前記配線パターンのうち、最も内側の配線パターンは前記フレキシブルプリント基板の長手方向に平行に形成されることを特徴とする請求項１〜請求項６のいずれか１項に記載の対物レンズアクチュエータ。
【請求項８】
前記フレキシブルプリント基板は、配線パターンの先端部に形成されるランド部を有し、前記最も内側の配線パターンの先端部に形成されるランド部に形成されるランド部は、その他の配線パターンの先端部に形成されるランド部よりも幅広に形成されることを特徴とする請求項１〜請求項７のいずれか１項に記載の対物レンズアクチュエータ。
【請求項９】
前記配線パターンは前記フレキシブルプリント基板の短手方向に所定の隙間を有して形成されており、前記最も内側の配線パターンと当該最も内側の配線パターンの隣の配線パターンとの隙間幅は、その他の配線パターン同士の隙間幅よりも幅広であることを特徴とする請求項１〜請求項８のいずれか１項に記載の対物レンズアクチュエータ。
【請求項１０】
請求項１〜９のいずれか１項に記載の対物レンズアクチュエータを備えることを特徴とする光ピックアップ。
【発明の詳細な説明】
【技術分野】
【０００１】
本発明は、対物レンズアクチュエータ及びそれを備えた光ピックアップに関し、詳細には、フレキシブルプリント基板の取付構造の技術に関する。
【背景技術】
【０００２】
近年、コンパクトディスク（以下、ＣＤという。）、デジタル多用途ディスク（以下、ＤＶＤという。）、ブルーレイディスク（以下、ＢＤという。）、ＨＤ−ＤＶＤといった光ディスクが実用化されている。このような光ディスクの記録再生を行うにあたっては、光ビーム（レーザ光）を光ディスクに照射して情報の記録や情報の読み取りを可能とする光ピックアップが用いられる。
【０００３】
そのような光ピックアップにおいて光学部品を変位させるアクチュエータに電気信号等を供給するための手段として、フレキシブルプリント基板が広く利用されている。より具体的には、各種の制御回路が組み込まれているプリント基板とフレキシブルプリント基板とを接続することによって電気信号等がアクチュエータに供給される。
【０００４】
ところで、フレキシブルプリント基板とプリント基板とを接続する方法としては、フレキシブルプリント基板に形成されている半田用端子をプリント基板に設けられている半田用ランドに半田付けする方法が広く知られている。その際、半田用端子と半田用ランドとが位置ずれを起こさないようにする必要がある。そこで一般的には、フレキシブルプリント基板の裏面に両面テープが貼付されている。この両面テープを利用してフレキシブルプリント基板の位置を仮決めし、その後に半田付けが行われている。
【０００５】
しかしながら両面テープによる位置決めは、両面テープの台紙を剥がして接着面を露出させる工程、両面テープを貼り付ける工程、位置修正の際には両面テープを剥がす工程が増えるため手間である。
【０００６】
そこで特許文献１の光ピックアップは、支持凸部を有するワイヤ保持部材とプリント基板とを備え、支持凸部とプリント基板との間に所定の隙間を形成して、当該隙間にフレキシブルプリント基板を挿入している。これにより、フレキシブルプリント基板を仮固定し、両面テープを必要とせず半田付けを行うことが可能となる。
【先行技術文献】
【特許文献】
【０００７】
【特許文献１】特開２０１０−１４０５５２号公報
【発明の概要】
【発明が解決しようとする課題】
【０００８】
特許文献１はプリント基板とワイヤ保持部材とによって上下からフレキシブルプリント基板を挟み込んで仮固定するものであるが、フレキシブルプリント基板に対してフレキシブルプリント基板の抜け方向に何らかの力が加わったときにはフレキシブルプリント基板の仮固定が解除されるという問題があった。
【０００９】
本発明は上述した問題点に鑑み、両面テープを使用することなく確実にフレキシブルプリント基板の位置を仮決め可能な対物レンズアクチュエータ及びそれを備えた光ピックアップを提供することを目的とする。
【課題を解決するための手段】
【００１０】
上記目的を達成するために本発明の対物レンズアクチュエータは、制御回路が組み込まれるプリント基板と、前記プリント基板と接続されるフレキシブルプリント基板と、前記プリント基板が取り付けられると共に、前記フレキシブルプリント基板が差し込まれる溝部を有する保持部と、を備え、前記フレキシブルプリント基板が前記溝部に差し込まれたときに前記フレキシブルプリント基板の少なくとも２箇所以上に、前記溝部に向かう復元力が発生することを特徴としている。
【００１１】
この構成によれば、フレキシブルプリント基板の少なくとも２箇所以上に、保持部の溝部に向かう復元力が発生するので、フレキシブルプリント基板が溝部から脱落しにくくなる。
【００１２】
また上記構成の対物レンズアクチュエータにおいて、前記フレキシブルプリント基板の１の箇所に発生する復元力の方向と、他の箇所に発生する復元力の方向と、が異なることが望ましい。
【００１３】
この構成によれば、フレキシブルプリント基板において異なる方向に向かって複数の復元力が発生するので、フレキシブルプリント基板に捻じれが発生し、より一層、フレキシブルプリント基板が溝部から脱落しにくくなる。
【００１４】
また上記構成の対物レンズアクチュエータにおいて、前記溝部は屈曲形成されていることが望ましい。
【００１５】
この構成によれば、フレキシブルプリント基板を溝部に差し込んだときに、溝部の屈曲形状に沿って湾曲し、復元力が発生する。
【００１６】
また上記構成の対物レンズアクチュエータにおいて、前記保持部において、前記プリント基板の取付面には、前記フレキシブルプリント基板を前記溝部に差し込むための差込口が設けられることが望ましい。
【００１７】
この構成によれば、プリント基板の取付面からフレキシブルプリント基板を溝部に差し込むことができる。従って、保持部に対するフレキシブルプリント基板の取付けが容易になる。
【００１８】
また上記構成の対物レンズアクチュエータにおいて、前記保持部は突出部を有し、前記フレキシブルプリント基板が前記溝部に差し込まれた状態において、前記プリント基板と前記突出部とが前記フレキシブルプリント基板を上下から挟み込むことが望ましい。
【００１９】
この構成によれば、フレキシブルプリント基板を溝部に差し込んだときに、プリント基板がフレキシブルプリント基板を押圧するので、フレキシブルプリント基板が湾曲し、復元力が発生する。
【００２０】
また上記構成の対物レンズアクチュエータにおいて、前記保持部は樹脂成型品であることが望ましい。
【００２１】
この構成によれば、フレキシブルプリント基板が保持部を介して金属材料からなるベースに導通することがない。
【００２２】
また上記構成の対物レンズアクチュエータにおいて、前記フレキシブルプリント基板は配線パターンを有し、前記配線パターンのうち、最も内側の配線パターンは前記フレキシブルプリント基板の長手方向に平行に形成されることが望ましい。
【００２３】
この構成によれば、フレキシブルプリント基板に形成される配線パターンの内、最も内側の配線パターンがフレキシブルプリント基板の長手方向に平行に（すなわち横方向）形成されるので、フレキシブルプリント基板の幅方向（短手方向）の長さが短縮化される。
【００２４】
また上記構成の対物レンズアクチュエータにおいて、前記フレキシブルプリント基板は、配線パターンの先端部に形成されるランド部を有し、前記最も内側の配線パターンの先端部に形成されるランド部に形成されるランド部は、その他の配線パターンの先端部に形成されるランド部よりも幅広に形成されることが望ましい。
【００２５】
この構成によれば、最も内側の配線パターンが横方向（フレキシブルプリント基板の長手方向に平行）であっても、当該配線パターンの先端部に形成されるランド部を他のランド部に比べて幅広に形成することによって、熱やフレキシブルプリント基板の湾曲に伴うランド部の剥離が防がれる。
【００２６】
また上記構成の対物レンズアクチュエータにおいて、前記配線パターンは前記フレキシブルプリント基板の短手方向に所定の隙間を有して形成されており、前記最も内側の配線パターンと当該最も内側の配線パターンの隣の配線パターンとの隙間幅は、その他の配線パターン同士の隙間幅よりも幅広であることが望ましい。
【００２７】
この構成によれば、最も内側の配線パターンのランド部が、その他の配線パターンの熱等による影響を受けにくくなる。従って、熱やフレキシブルプリント基板の湾曲に伴うランド部の剥離をより効果的に防ぐことができる。
【００２８】
上記目的を達成するために本発明の光ピックアップは、上記構成の対物レンズアクチュエータを備えることを特徴とする。
【００２９】
この構成によれば、保持部に対するフレキシブルプリント基板の取付けが容易な対物レンズアクチュエータを備える光ピックアップとすることができる。
【発明の効果】
【００３０】
本発明によれば、フレキシブルプリント基板の少なくとも２箇所以上に、保持部の溝部に向かう復元力が発生するので、フレキシブルプリント基板が溝部から脱落しにくくなる。つまり、フレキシブルプリント基板を溝部に差し込むだけで、フレキシブルプリント基板を保持部に仮固定することができ、両面テープ等でフレキシブルプリント基板を保持部に仮固定する必要がない。従って作業工程が低下するとともに、保持部に対するフレキシブルプリント基板の取り付け作業が容易になる。
【図面の簡単な説明】
【００３１】
【図１】は、光ピックアップが備える光学系の構成を示す概略図である
【図２】は、対物レンズアクチュエータの構成を示す上面図である。
【図３】は、対物レンズアクチュエータの構成を示す正面図である。
【図４】は、図２のＨ部の拡大図である。
【図５】は、図１のＡ−Ａ断面図である。
【図６】は、フレキシブルプリント基板の配線パターンを示す模式図である。
【発明を実施するための形態】
【００３２】
以下に本発明の光ピックアップについて図面を参照して説明する。但し、以下に示す実施形態は、本発明の技術的思想を具体化するために本発明の光ピックアップの一例を示すものであって、本発明をこの光ピックアップに特定することを意図するものではなく、特許請求の範囲に含まれるその他の実施形態の装置にも等しく適応し得るものである。
【００３３】
例えば、本実施形態の光ピックアップ１においては、ＢＤ用の光学系とＤＶＤ／ＣＤ用の光学系とを完全に独立した構成としているが、一部の光学部材を、ＢＤ、ＤＶＤ、およびＣＤの情報の再生等を行う場合に共通して使用するような構成等としても構わない。また、波面収差を補正する収差補正素子等、必要に応じて各種光学部材を追加しても構わない。
【００３４】
[光ピックアップの概略構成]
まず、本実施形態の光ピックアップの概略構成について図１を参照しながら説明する。図１は、本実施形態の光ピックアップが備える光学系の構成を示す概略図である。本実施形態の光ピックアップ１は、ＢＤ、ＤＶＤ、及びＣＤに対して情報の読み取りと情報の書き込みを可能に設けられている。
【００３５】
図１に示すように、光ピックアップ１は２種類の光学系を備える。このうちの一方はＢＤ用の光学系で、他方はＤＶＤ及びＣＤ（ＤＶＤ／ＣＤ）用の光学系である。この２種類の光学系は、光ピックアップ１によって情報の読み取りや書き込みが行われる光ディスク５０の種類（ここでは、ＢＤ、ＤＶＤ、及びＣＤのうちのいずれか）によって切り換えて使用される。以下、ＢＤ用の光学系、ＤＶＤ／ＣＤ用の光学系について、別々に説明する。
【００３６】
ＢＤ用の光学系は、第１レーザダイオード１１と、回折素子１２と、偏光ビームスプリッタ１３と、第１コリメートレンズ１４と、１／４波長板１５と、第１立ち上げミラー１６と、第１対物レンズ１７と、第１シリンドリカルレンズ１８と、第１フォトディテクタ１９と、を備える。
【００３７】
第１レーザダイオード１１は、波長４０５ｎｍ帯の光ビーム（レーザ光）を出射する光源である。第１レーザダイオード１１から出射された光ビームは、回折素子１２によって主ビームと２つの副ビームとに分けられる。回折素子１２から出射した光ビームは、偏光ビームスプリッタ１３で反射され、第１コリメートレンズ１４に送られる。
【００３８】
第１コリメートレンズ１４は、図示しない駆動手段によって光軸方向（図１に示す矢印の方向）に移動可能となっており、その位置によって、第１対物レンズ１７に入射する光ビームの収束発散状態を変化させる。このような構成とするのは、球面収差の補正を行えるようにするためである。
【００３９】
第１コリメートレンズ１４を出射した光ビームは、偏光ビームスプリッタ１３と協働して光アイソレータとして機能する１／４波長板１５を通過し、第１立ち上げミラー１６によって反射されて第１対物レンズ１７に入射する。第１対物レンズ１７は、入射した光ビームを光ディスク５０の情報記録面５０ａに集光する。
【００４０】
光ディスク５０で反射された光ビームは、第１対物レンズ１７を透過後、第１立ち上げミラー１６で反射され、１／４波長板１５、第１コリメートレンズ１４の順に透過後、更に偏光ビームスプリッタ１３も透過する。偏光ビームスプリッタ１３を透過した光ビームは、非点収差を付与する機能を有する第１シリンドリカルレンズ１８を透過して、第１フォトディテクタ１９の受光面に集光する。第１フォトディテクタ１９は、入射した光信号を電気信号に変換して出力する。ここで出力された電気信号は図示しない信号処理部で処理されて、再生信号や、フォーカスエラー信号や、トラッキングエラー信号等となる。
【００４１】
次に、ＤＶＤ／ＣＤ用の光学系について説明する。ＤＶＤ／ＣＤ用の光学系は、第２レーザダイオード２１と、ハーフミラー２２と、第２コリメートレンズ２３と、第２立ち上げミラー２４と、第２対物レンズ２５と、第２シリンドリカルレンズ２６と、第２フォトディテクタ２７と、を備える。
【００４２】
第２レーザダイオード２１は、波長６５０ｎｍ帯の光ビームと、波長７８０ｎｍ帯の光ビームと、を切り換えて出射できる２波長レーザである。第２レーザダイオード２１から出射された光ビームは、ハーフミラー２２で反射されて第２コリメートレンズ２３に送られ、平行光に変換される。
【００４３】
第２コリメートレンズ２３から出射された光ビーム（平行光）は、第２立ち上げミラー２４で反射され、第２対物レンズ２５に入射し、光ディスク５０の記録面５０ａに集光する。
【００４４】
光ディスク５０で反射された光ビームは、第２対物レンズ２５を透過後、第２立ち上げミラー２４で反射され、第２コリメートレンズ２３、ハーフミラー２２の順に透過し、非点収差を付与する機能を有する第２シリンドリカルレンズ２６を透過して、第２フォトディテクタ２７の受光面に集光する。第２フォトディテクタ２７は、入射した光信号を電気信号に変換して出力する。ここで出力された電気信号は図示しない信号処理部によって処理されて、再生信号や、フォーカスエラー信号や、トラッキングエラー信号等となる。
【００４５】
第１対物レンズ１７と第２対物レンズ２５とは、その詳細は後述する対物レンズアクチュエータ３０によって、フォーカス方向とトラッキング方向とに移動可能となっている。これにより、光ピックアップ１におけるフォーカシング制御やトラッキング制御が可能となっている。
【００４６】
なお、フォーカス方向とは、対物レンズ１７、２５が光ディスク５０に対して接離する方向（図１では上下方向）であり、トラッキング方向とは、光ディスク５０の半径方向（ラジアル方向）と平行な方向（図１では紙面と垂直な方向）である。
【００４７】
[対物レンズアクチュエータの構成]
次に、本実施形態の光ピックアップ１に備えられる対物レンズアクチュエータ３０の構成の詳細について、図２〜図３を参照しながら説明する。ここで、図２は、本実施形態の対物レンズアクチュエータの構成を示す上面図である。図３は、対物レンズアクチュエータの構成を示す正面図である。なお、各図において同一の部分については同一の符号を付している。
【００４８】
図２を参照して、本実施形態の対物レンズアクチュエータ３０は、ベース３１と、レンズホルダ３２と、四つの永久磁石３３と、ゲルホルダ３４と、プリント基板３５と、フレキシブルプリント基板３６と、６本のワイヤ（棒状弾性支持部材）３７と、を備える。
【００４９】
ベース３１は強磁性を有する金属からなる。ベース３１には、そのほぼ中央に光ビームを通過させる貫通孔（図示せず）が形成されている。そして、この貫通孔の上にレンズホルダ３２が配置される構成となっている。また、ベース３１上には、四つの永久磁石３３と、ゲルホルダ３４と、が固定配置される。
【００５０】
レンズホルダ３２は、液晶ポリマ（ＬＣＰ）等の樹脂によって形成され、対物レンズ１７、２５を保持する。本実施形態においては、光ピックアップ１が２つの対物レンズ１７、２５を有する構成となっているために、レンズホルダ３２には２つの対物レンズ１７、２５を保持できるように２つの保持部（図示せず）が設けられる。２つの保持部はそれぞれ光ビームを通過させる光路孔（図示せず）と繋がっており、これにより第１レーザダイオード１１からの光ビームが第１対物レンズ１７を、第２レーザダイオード２１からの光ビームが第２対物レンズ２５を通過するようになっている。また、レンズホルダ３２はベース３１上に永久磁石３３を立設するために断面略十字状に形成されている。
【００５１】
レンズホルダ３２の内側には、その内壁に沿って、略矩形状に巻回されたフォーカスコイル（図示せず）が接着剤等で貼り付けられている。また、レンズホルダ３２の側壁であって、各永久磁石３３において後述するヨーク３１ａに対向する面の反対側の面と対向する部分のそれぞれには、トラッキングコイル（図示せず）がそれぞれ一つずつ接着剤等で貼り付けられている。なお、これら４つのトラッキングコイルは全体として１本の線で繋がっている。
【００５２】
ベース３１上に立設される四つの永久磁石３３は例えば希土類磁石から成り、断面略十字状に形成されているレンズホルダ３２の四隅に立設されて、四隅からレンズホルダ３２を挟むように配置される。すなわち、本実施形態においてベース３１上には、２つのトラッキングコイルを挟んで対向する一対の永久磁石３３が左右に立設されていると言い換えることができる。一対の永久磁石３３は、同一の極（Ｎ極又はＳ極）が向かい合うように配置される。また、永久磁石３３のそれぞれは、外面がベース３１から折曲形成されたヨーク３１ａに磁着された状態とされる。
【００５３】
なお、ヨーク３１ａのうち、ゲルホルダ３４側に形成されているヨーク３１ａは、上述したようにベース３１の中央に貫通孔を形成する際に、ベース３１において刳り貫かれる部分（刳り貫き部）の全部又は一部を折り曲げることによって形成される。
【００５４】
ポリカーボネート等の樹脂成型品から成るゲルホルダ３４は、一方のヨーク３１ａの外面側（ヨーク３１ａにおいて、レンズホルダ３２及び永久磁石３３に対向する側の反対側）に配置される。ゲルホルダ３４には、シリコンを主成分とするゲル材が充填される。このゲル材は、低粘度のゲル材（ゾル）がゲルホルダ３４に注入された後、所定時間の紫外線照射によってゲル状に硬化したものである。
【００５５】
プリント基板３５は、ゲルホルダ３４の外側面（ゲルホルダ３４において、ヨーク３１ａに対向する面の反対側の面）に固定配置され、また、プリント基板３５の外側面（リジットプリント基板３５において、ゲルホルダ３４と接触する面と反対側面）にはフレキシブルプリント基板３６が固定配置されている。プリント基板３５とフレキシブルプリント基板（ＦＰＣ）３６とは、光ピックアップ１全体を制御する制御部からの信号を受信して、対物レンズアクチュエータ３０に伝達するための回路基板である。
【００５６】
ゲルホルダ３４に対するプリント基板３５の固定は、熱硬化性の接着剤を用いて行われる。ただし、接着剤による固定に加えてビス止めを行ったり、半田による固定を行ったりしても構わない。
【００５７】
次にゲルホルダ３４に対するフレキシブルプリント基板３６の固定について図４及び図５を参照して説明する。図４は図２のＨ部の拡大図である。また、図５は図１のＡ−Ａ断面図である。
【００５８】
図４に示すようにゲルホルダ３４は外側ゲルホルダ３４ａと内側ゲルホルダ３４ｂからなり、外側ゲルホルダ３４ａと内側ゲルホルダ３４ｂの間にはフレキシブルプリント基板３６が差し込まれる溝部４０が形成されている。
【００５９】
溝部４０は正面視略Ｌ字状に形成されている。また、ゲルホルダ３４には溝部４０にフレキシブルプリント基板３６を差し込むための差込口４２が形成されている。そしてフレキシブルプリント基板３６を差込口４２に合わせて略Ｌ字状に折り曲げた状態で正面から差し込むことでフレキシブルプリント基板３６がゲルホルダ３４に固定される。
【００６０】
ベース３１には引出口４１が形成されている。そして、フレキシブルプリント基板３６が溝部４０に差し込まれたときに、フレキシブルプリント基板３６の配線部分が引出口４１を介してベース３１の下方に引き出される。
【００６１】
上述したように溝部４０は略Ｌ字状に形成されている。従って、溝部４０に差し込まれたフレキシブルプリント基板３６は溝部４０の形状に沿って湾曲する。するとフレキシブルプリント基板３６には元（すなわち湾曲していない状態）に戻ろうとする復元力が発生する。この復元力によってフレキシブルプリント基板３６がゲルホルダ３４に押し付けられる。
【００６２】
なお、本実施形態では溝部４０を略Ｌ字状に形成しているがこれに限られるものではなく、フレキシブルプリント基板３６に復元力を発生させる形状であればよい。また、溝部４０を、フレキシブルプリント基板３６が複数回折れ曲がるような形状（例えば略コ字状）としてもよい。フレキシブルプリント基板３６が複数回折れ曲がると、復元力が発生する部分が増加し、ゲルホルダ３４に対するフレキシブルプリント基板３６の固定がより安定する。
【００６３】
また、図５に示すようにゲルホルダ３４の内側ゲルホルダ３６ｂは外側ゲルホルダ３６ａよりも外方（図５の紙面に対して右方）に突出するように形成されている。なお、以下、説明の便宜上、突出している部分を突出部３４１とする。フレキシブルプリント基板３６の横幅の長さ（図５のＬ１）は差込溝４０の奥行きの長さ（図５のＬ２）よりも長く形成されている。これによって、フレキシブルプリント基板３６が差込溝４０に差し込まれたときに、フレキシブルプリント基板３６の半田用端子が溝部４０の外に位置する（すなわち突出部３４１上に位置する）。
【００６４】
そして図５に示すようにプリント基板３５は、外側ゲルホルダ３４ａに固定されたときに、内側ゲルホルダ３４ｂに向かってやや突出する（すなわち正面視において溝部４０を上方からやや塞ぐ）。従って、フレキシブルプリント基板３６を溝部４０に差し込んだときに、プリント基板３５がフレキシブルプリント基板３６を上方から下方に押し付けて内側ゲルホルダ３４ｂに押圧するので、フレキシブルプリント基板３６が湾曲する。
【００６５】
そして上述したようにフレキシブルプリント基板３６には元に戻ろうとする復元力が発生する。この復元力によってフレキシブルプリント基板３６がゲルホルダ３４に押し付けられる。
【００６６】
ここで図４で発生する復元力の方向と、図５で発生する復元力の方向は異なる方向であることから、フレキシブルプリント基板３６には捻じれが発生し、ゲルホルダ３４に対するフレキシブルプリント基板３６の固定が、捻じれが発生していない（すなわち２以上の復元力の方向が同じ方向である）ときに比べて強くなる。
【００６７】
このようにフレキシブルプリント基板３６をゲルホルダ３４に固定した状態で、フレキシブルプリント基板３６に形成されている半田用端子３６ａをプリント基板３５に設けられている半田用ランド３５ａに半田付けする作業が行われる。
【００６８】
図６はフレキシブルプリント基板３６の配線パターンを示す模式図である。図６に示すようにフレキシブルプリント基板３６には複数の半田用ランド３６１〜３６６が設けられる。そして、最も内周に位置する半田用ランド３６１の配線パターン４６１は、フレキシブルプリント基板３６の長さ方向に引き出されるのに対し、他の半田用ランド３６２〜３６６の配線パターン４６２〜４６６はフレキシブルプリント基板３６の幅方向に引き出された後、フレキシブルプリント基板３６の長さ方向に引き出される。
【００６９】
これによって全ての配線が、フレキシブルプリント基板３６の幅方向に引き出された後、フレキシブルプリント基板３６の長さ方向に引き出されるのに比べてフレキシブルプリント基板３６の幅方向の長さを短くすることができる。
【００７０】
一方で、配線をフレキシブルプリント基板３６の長さ方向に引き出す配線パターン（配線パターン４６１）は、フレキシブルプリント基板３６の折れ曲がりや他の部材との擦れによって半田用ランド３６１が剥離しやすくなるという問題が発生する。そこで、半田用ランド３６１を、その他の半田用ランド３６２〜３６６に比べて幅広（図６の半田用ランド３６１の幅Ｄ１＞半田用ランド３６２の幅Ｄ２）に設けて、半田用ランド３６１が剥離しにくなる。
【００７１】
さらに配線パターン４６２の熱が配線パターン４６１に伝わることによって、半田ランド３６１が剥離するのを防ぐため、フレキシブルプリント基板３６の幅方向（短手方向）において、配線パターン４６１と隣の配線パターン（配線パターン４６２）の隙間幅（図６のＫ１）を、他の配線同士の隙間幅（例えば図６のＫ２）よりも長くしている。これによって配線パターン４６２の熱が配線パターン４６１に伝わりにくくなる。
【００７２】
本実施形態によれば、フレキシブルプリント基板の少なくとも２箇所以上に、保持部の溝部に向かう復元力が発生するので、フレキシブルプリント基板が溝部から脱落しにくくなる。つまり、フレキシブルプリント基板を溝部に差し込むだけで、フレキシブルプリント基板をゲルホルダに仮固定することができ、両面テープ等でフレキシブルプリント基板をゲルホルダに仮固定する必要がない。従って作業工程が低下するとともに、ゲルホルダに対するフレキシブルプリント基板の取り付け作業が容易になる。
【００７３】
また、フレキシブルプリント基板において異なる方向に向かって複数の復元力が発生するので、フレキシブルプリント基板に捻じれが発生し、より一層、フレキシブルプリント基板が溝部から脱落しにくくなる。
【００７４】
また、溝部が屈曲形成（略Ｌ字状に折れ曲がって形成）されるので、フレキシブルプリント基板を溝部に差し込んだときに、溝部の屈曲形状に沿って湾曲し、復元力が発生する。
【００７５】
また、ゲルホルダにおいてプリント基板の取付面に差込口が形成されるので、ゲルホルダに対するフレキシブルプリント基板の取付けが容易になる。
【００７６】
また、フレキシブルプリント基板を溝部に差し込んだときに、プリント基板がフレキシブルプリント基板を押圧するので、フレキシブルプリント基板が湾曲し、復元力が発生する。
【００７７】
また、ゲルホルダは樹脂成型品なので、フレキシブルプリント基板がゲルホルダを介して金属材料からなるベースに導通することがない。
【００７８】
また、フレキシブルプリント基板に形成される配線パターンの内、最も内側の配線パターンがフレキシブルプリント基板の長手方向に平行に（すなわち横方向）形成されるので、フレキシブルプリント基板の幅方向（短手方向）の長さが短縮化される。
【００７９】
また、最も内側の半田用ランド（ランド部）が他の半田用ランドよりも幅広に形成されることによって、熱やフレキシブルプリント基板の湾曲に伴う最も内側の半田用ランドの剥離が防がれる。
【００８０】
また、最も内側の配線パターンと当該最も内側の配線パターンの隣の配線パターンとの隙間幅は、その他の配線パターン同士の隙間幅よりも幅広なので、最も内側の配線パターンのランド部が、隣の配線パターンの熱等による影響を受けにくくなる。これによって最も内側の半田用ランドの剥離が防がれる。
【００８１】
なお、上記実施形態においてはゲルホルダ３４にプリント基板３５とフレキシブルプリント基板３６を取り付ける（固定する）こととしたが、これに限られるものではない。プリント基板３５とフレキシブルプリント基板３６を取り付け可能な部材（保持部)であればよい。
【００８２】
また、上記実施形態においてプリント基板３５がフレキシブルプリント基板３６を押圧することとしたが、押圧しなくてもよい。例えば上述したように、溝部４０を、フレキシブルプリント基板３６が複数回折れ曲がるような形状とすれば、フレキシブルプリント基板３６において２箇所以上に復元力が発生する。従って、プリント基板３５がフレキシブルプリント基板３６を押圧しなくてもゲルホルダ３４に対してフレキシブルプリント基板３６をしっかりと固定することができる。
【産業上の利用可能性】
【００８３】
本発明は、対物レンズアクチュエータ及びこれを備えた光ピックアップに利用できる。
【符号の説明】
【００８４】
１      光ピックアップ
１７    第１対物レンズ
２５    第２対物レンズ
３０    対物レンズアクチュエータ
３１    ベース
３２    レンズホルダ
３４    ゲルホルダ（保持部）
３４ａ  外側ゲルホルダ
３４ｂ  内側ゲルホルダ
３５    プリント基板
３５ａ  半田用ランド（ランド部）
３６    フレキシブルプリント基板
３６ａ  半田用端子
４０    溝部
４１    引出口
４２    差込口
【図１】
2014044783.tif 000003
【図２】
2014044783.tif 000004
【図３】
2014044783.tif 000005
【図４】
2014044783.tif 000006
【図５】
2014044783.tif 000007
【図６】
2014044783.tif 000008